(57)【要約】【課題】外部からの電力が必要ない、照明機能を備えた筒状体を提供する。【解決手段】長尺基材１１と、第１光透過性カバー１２と、第２光透過性カバー１３と、長尺基材１１に収容される太陽電池モジュール１４と、長尺基材１１に収容される照明１５と、長尺基材１１に収容される蓄電池１６と、長尺基材１１に収容される制御部１７とを備えた手摺本体（筒状体）１０。手摺本体１０の断面形状は円形を呈している。また手摺本体１０の両端には、蓋材１８が取り付けられている。【選択図】図２
2019117714.tif 000002
【特許請求の範囲】
【請求項１】
長手方向に沿って延びる第１収容部及び第２収容部を有する長尺基材と、
前記第１収容部との間に第１空間が形成されるように、前記長尺基材に固定される第１光透過性カバーと、
前記第２収容部との間に第２空間が形成されるように、前記長尺基材に固定される第２光透過性カバーと、
前記第１収容部に収容される太陽電池モジュールと、
前記第２収容部に収容される照明と、
前記太陽電池モジュールにより発生した電力を蓄電して前記照明に電力を供給する蓄電池とを備えている、
筒状体。
【請求項２】
前記第２収容部は第１収容部の反対側に開口している、
請求項１記載の筒状体。
【請求項３】
断面形状が円形である、
請求項１記載の筒状体。
【発明の詳細な説明】
【技術分野】
【０００１】
本発明は、照明機能を備えた筒状体に関する。
【背景技術】
【０００２】
車道と歩道との間の仕切りとして設けられる防護柵や、歩道に沿って設けられる柵型の手摺が知られている。
しかし、街灯などのない場所において、防護柵または手摺は夜間見えにくい。また歩道も歩きにくい。
このようなニーズに対して、例えば、特許文献１には、防護柵の水平に固定されたパイプの外周面に発光部材を設けたものが開示されている。また、特許文献２には、透明または半透明の中空円筒パイプにＬＥＤ素子を設けた表示灯が開示されている。
【先行技術文献】
【特許文献】
【０００３】
【特許文献１】特開２００３−２７４３８号公報
【特許文献２】特開２００５−２６６４９７号公報
【発明の概要】
【発明が解決しようとする課題】
【０００４】
しかし、特許文献１及び特許文献２も、パイプの外部から電力を供給する必要がある。そのため、電線から繋ぐ場合は設置が煩雑になる。また外部に設けた太陽電池から電源を供給する場合は太陽電池の設置場所が問題となる。さらに電池から電源を供給する場合その電池の交換が煩雑になる。
本発明は、外部からの電力が必要ない、照明機能を備えた筒状体を提供することを目的としている。
【課題を解決するための手段】
【０００５】
本発明の筒状体は、長手方向に沿って延びる第１収容部及び第２収容部を有する長尺基材と、前記第１収容部との間に第１空間が形成されるように、前記長尺基材に固定される第１光透過性カバーと、前記第２収容部との間に第２空間が形成されるように、前記長尺基材に固定される第２光透過性カバーと、前記第１収容部に収容される太陽電池モジュールと、前記第２収容部に収容される照明と、前記太陽電池モジュールにより発生した電力を蓄電して前記照明に電力を供給する蓄電池とを備えていることを特徴としている。
この筒状体は、道路、階段や坂などに沿った柵等の一部に、設置面に略水平に組み込むものである。
【０００６】
本発明の筒状体は、太陽電池パネル等の太陽電池モジュールと、照明と、蓄電池とを備えているため、外部電力を必要とすることなく、筒状体に沿って、その周囲を照らすことができる。つまり、太陽電池モジュールを収容した第１収容部を太陽側に向けることにより、その第１収容部を閉じる第１光透過性カバーを介して太陽電池モジュールに太陽光を当てることができ、効率よく発電させることができる。一方、照明は、所定の方向に第２光透過性カバーを介して外部に光を照射することができる。
【０００７】
本発明の筒状体であって、前記第２収容部が第１収容部と反対側に開口しているものが好ましい。ここで第１収容部と反対側とは、第１収容部を鉛直方向上側に向けたとき、鉛直方向下側に対して９０度以下の角度をもった方向をいう。この場合、例えば、本発明の筒状体を、横パイプとして第１収容部が上方に向くように防護柵や柵型手摺に組み入れることにより、第２収容部は反対側の下方を向く。そのため、防護柵又は柵型手摺に沿った歩道や車道等の通路面を照らすことができる。
【０００８】
本発明の筒状体であって、断面形状が円形であるものが好ましい。例えば、本発明の筒状体を防護柵や柵型手摺の横パイプの代わりに用いたとき、歩行者が筒状体を掴みやすい。
【図面の簡単な説明】
【０００９】
【図１】本発明の筒状体を用いた柵型手摺を示す正面図である。
【図２】図２ａは図１の手摺本体（本発明の筒状体の第１の実施形態）を示す側面図であり、図２ｂはそのＸ−Ｘ線断面図である。
【図３】図３ａは図２ａの長尺基材を示す断面図であり、図３ｂはその一部拡大図である。
【図４】図４ａは図２ａの第１光透過性カバーを示す断面図であり、図４ｂはその一部拡大図であり、図４ｃは第１光透過性カバーと第１収容部とのシール構造を示す他の実施形態である。
【図５】図５ａは図２ａの長尺基材を示す断面図であり、図５ｂは図２ａの第２光透過性カバーを示す断面図である。
【図６】図６ａは図２ａの蓋材を示す側面図であり、図６ｂはそのＹ−Ｙ線断面図である。
【図７】本発明の第２の実施形態を示す断面図である。
【発明を実施するための形態】
【００１０】
図１に本発明の筒状体を用いた柵型手摺１００を示す。柵型手摺１００は、屋外に固定されるものであり、２本の支柱１０１と、それぞれの支柱の上部で水平方向に支持される手摺本体（実施形態の筒状体）１０と、それぞれの支柱の中間部で水平方向に支持されるパイプ１０２とを有する。支柱１０１及びパイプ１０２は、従来公知のものである。支柱１０１には、手摺本体１０及びパイプ１０２を取り付けるブラケット（図示せず）が設けられている。
手摺本体１０は、太陽光を受けて発電する太陽電池モジュールと、その電力を蓄電する蓄電池と、その蓄電池の電力によって発光する照明と、日中に太陽電池モジュールの発電電力を蓄電池に蓄電させ、夜間に蓄電池の電力を用いて照明を発光させる制御部とを備えている。そのため、手摺本体１０は、従来公知の柵型手摺に、照明機能を与えることができ、柵型手摺に沿った歩道を照らすことができる。
【００１１】
手摺本体１０は、図２に示すように、長尺基材１１と、第１光透過性カバー１２と、第２光透過性カバー１３と、長尺基材１１に収容される太陽電池モジュール１４と、長尺基材１１に収容される照明１５と、長尺基材１１に収容される蓄電池１６と、長尺基材１１に収容される制御部１７とを備えている。手摺本体１０の断面形状は円形を呈している。また手摺本体１０の両端には、蓋材１８が取り付けられている。後述するように、蓋材１８は支柱１０１のブラケットで兼ねてもよい。
手摺本体１０の大きさは、径が２０〜１００ｍｍ、好ましくは３０〜８０ｍｍである。
【００１２】
長尺基材１１は、図３ａに示すように、長手方向に沿って延びる第１収容部２１及び第２収容部２６を有する筒状のものである。詳しくは、長尺基材１１の断面が、手摺本体１０の断面の円中心から鉛直方向上側の点を中心とした第１円弧Ａ１および手摺本体１０の断面の円中心から鉛直方向下側から４５度の点を中心とした第２円弧Ａ２を手摺本体１０の断面の円から切欠いた形状を構成する２つの円弧状の第１枠１１ａ１（図３ａの左側）及び第２枠１１ａ２（図３ａの右側）と、第１枠の一方の端部（図３ａの上方の端部）と第２枠の一方の端部（図３ａの上方の端部）を第１円弧Ａ１の代わりに連結する第１収容部２１と、第１枠の他方の端部（図３ａの下方の端部）と第２枠の他方の端部（図３ａの下方の端部）を第２円弧Ａ２の代わりに連結する第２収容部２６とから構成されている。第１収容部２１は鉛直方向上側に開口あるいは向いている。第２収容部２６は鉛直方向下側に対して４５度の角度を持った方向に開口あるいは向いている。
【００１３】
第１円弧Ａ１の角度α１は、第２円弧Ａ２の角度α２より大きい。例えば、手摺本体１０を円筒状とする場合、第１円弧Ａ１の角度α１は、４５〜１８０度、好ましくは９０〜１８０度である。４５度より小さいと、第１収容部２１内に収容される太陽電池モジュールに当たる太陽光の時間が小さくなる。１８０度より大きくても太陽電池モジュールに当たる太陽光の時間はあまり変わらない。第２円弧Ａ２の角度α２は、照明の目的によって適宜選択することができる。例えば、ある一定の方向を照らす場合は、５〜９０度、好ましくは２５〜９０度である。
第２収容部２６の開口方向は、第１収容部２１と重ならなければ特に限定されない。しかし、筒状体を手摺や防護柵に用いる場合、第２収容部２６は、第１収容部２１の反対側に開口させるのが好ましい。つまり、第１収容部２１の中心を鉛直方向上側に開口せたとき、第２収容部２６の中心が鉛直方向下側に対して角度をもった方向に開口しているのが好ましい。この場合、夜間において手摺に沿って設けられた歩道や車道を照らすことができる。
長尺基材１１は、スチール、アルミニウム等の金属、あるいは、硬質の合成樹脂から成形される。強度の面から金属の金属押出形材、特に、アルミニウムまたはアルミニウム合金の押出形材が好ましい。
【００１４】
第１収容部２１は、長手方向に延びる第１基部２２と、その第１基部の両側に沿って設けられる一対の第１係止部２３とを有する。第１収容部２１は太陽電池モジュール１４を収容する。また第１収容部２１には第１光透過性カバー１２が連結される。一対の第１係止部２３は、第１基部２２を中心として左右対称に設けられている。
この第１収容部２１の説明において、第１収容部２１を半分に切断する鉛直面Ｆ１（手摺本体１０の断面の円中心を通る）を中心に、鉛直面Ｆ１に近づく方向を内側、鉛直面Ｆ１から遠ざかる方向を外側とする。
【００１５】
第１基部２２は、太陽電池モジュール１４を装着する部位である。詳しくは、長手方向に延びる凹部２２ｂを備えており、凹部２２ｂを覆うように太陽電池モジュール１４が装着される（図２ｂ参照）。なお、太陽電池モジュール１４と凹部２２ｂによって形成される空間には、放熱材や接着剤などが充填される（図２ｂ参照）。また凹部２２ｂには、太陽電池モジュール１４と制御部１７とを電気的に連通するリード線を通す連通孔２２ａが形成されている。
第１係止部２３は、図３ｂに示すように、長手方向に延びる嵌入溝２３ａと、その嵌入溝２３ａの底近辺に嵌入溝２３ａの内壁２３ａ１から内側に延びる係止溝２３ｂとを有する。また嵌入溝２３ａの外壁２３ａ２は、内壁２３ａ１より低くなっており、外壁２３ａ２の上端から外側に延びる平面部２３ｃが形成されている。この平面部２３ｃと、第１枠１１ａ１の端部（あるいは第２枠１１ａ２の端部）とで、長手方向に延びるシールポケットＣＰを形成する。
【００１６】
次に、第１収容部２１に連結される第１光透過性カバー１２について説明する。
第１光透過性カバー１２は、図４ａに示すように、長尺状のカバー本体３１と、そのカバー本体の下面から突出する一対の第１脚部３２とを有する。第１光透過性カバー１２は、透光性の合成樹脂の押出成形体からなる。特に、ポリカーボネート樹脂、アクリル樹脂の押出成形体からなるものが好ましい。
【００１７】
カバー本体３１の断面は、長尺基材１１の断面で切欠いた第１円弧Ａ１と実質的に同じ大きさの円弧状の板材である。凸側が上面であり、凹側が下面となる。このように湾曲させることにより、第１収容部２１の第１基部２２に太陽光を効率よく集めることができる。
カバー本体３１の厚みは、０．８〜１０ｍｍ、好ましくは１〜５ｍｍである。
このカバー本体３１の説明において、カバー本体３１を半分に切断する鉛直面Ｆ１（前述の第１収容部２１を半分に切断する鉛直面と同一面）を中心に、鉛直面Ｆ１に近づく方向を内側、鉛直面Ｆ１から遠ざかる方向を外側とする。
【００１８】
第１脚部３２は、図４ｂに示すように、カバー本体３１の側縁から若干内側に入った部位から下側に向かって延びている。第１脚部３２の下端には、長尺基材の第１収容部の第１係止部と係合する第１係止片３２ａが形成されている。詳しくは、第１係止片３２ａは、下端から内側に拡がる傾斜するテーパ部３２ａ１と、その上端から水平方向外側に延びる係止段部３２ａ２とを備えている。
また第１脚部３２は、第１脚部３２の基端近辺を中心として第１係止片３２ａが内外方向、特に外側に移動可能に弾性変形する。
なお、一対の第１脚部３２は、鉛直面を中心として左右対称に設けられている。一対の第１脚部３２の間は、第１基部２２の一対の嵌入溝２３ａと実質的に同じ距離となっている。
【００１９】
次に、第１光透過性カバー１２と長尺基材１１との固定構造について説明する。
第１光透過性カバー１２と長尺基材１１の第１収容部２１との固定構造は、第１光透過性カバー１２の第１脚部３２と、第１収容部２１の第１係止部２３の嵌入溝２３ａとによって形成される。詳しくは、第１光透過性カバー１２を、第１収容部２１の上方から下降させることにより、第１脚部３２のテーパ部３２ａ１が嵌入溝２３ａの内壁２３ａ１の上端と当接する。第１光透過性カバー１２をさらに下降させることにより、テーパ部３２ａ１が嵌入溝２３ａの内壁２３ａ１の上端を滑り、それと同時に第１脚部３２が外側に弾性変形し、第１脚部３２が嵌入溝２３ａ内に挿入される。第１脚部３２の第１係止片３２ａが第１係止部２３の係止溝２３ｂと係合すると同時に、第１脚部３２の弾性が解放される。このように長尺基材１１の第１収容部２１の上から下方に移動させるだけで、簡単に取り付けることができる。
【００２０】
なお、長尺基材１１の一方の端部から第１収容部２１の嵌入溝２３ａ内に第１光透過性カバー１２の第１脚部３２を挿入し、長尺基材１１の他方の端部までスライドさせてもよい。しかし、手摺本体１０が長くなれば、長くなるほど、その作業は煩雑になる。また、その場合、後述するように液体のシール剤２５を用いると、長尺基材１１の他方の端部からシール剤２５が押し出されてしまう。
また第１光透過性カバー１２と第１係止部２３との固定構造は、上記に限定されるものではない。例えば、第１収容部２１に上方に延びる脚部も設け、第１光透過性カバー１２にそれを受ける溝等を設けてもよい。その際、上記実施形態のように、第１光透過性カバー１２を長尺基材１１の第１収容部２１の上方から下方に移動させ、第１光透過性カバーおよび長尺基材の係止部同士がクリップ嵌合することにより固定構造を形成するものが好ましい。さらに、第１光透過性カバーおよび第１収容部の係止部同士を接着剤等で固定してもよい。
【００２１】
次に、第１光透過性カバー１２と長尺基材１１との間に設けられた長手方向に延びるシール構造について説明する。
第１光透過性カバー１２と長尺基材１１の第１収容部２１との間のシール構造は、第１収容部２１の第１係止部２３の平面部２３ｃと、第１枠１１ａ１の端部（あるいは第２枠１１ａ２の端部）とによって構成されるシールポケットＣＰに充填される液状のシール剤２５（特に、シリコーン系のシール剤）によって形成される。詳しくは、図２ｂに示すように、第１光透過性カバー１２の第１脚部３２を、シール剤２５が充填されるシールポケットＣＰを介して嵌入溝２３ａ内に挿入することにより、長手方向に延びるシールポイントが形成される。
しかし、第１収容部２１と第１光透過性カバー１２との間のシール構造は、長手方向に連続して設けられていれば、上記に限定されるものではない。例えば、平面部２３ｃから嵌入溝２３ａの内壁２３ａ１まで延びて、嵌入溝２３ａを閉じるシリコーンゴム等のエラストマー製のガスケットシートを支持させてもよい。また、図４ｃに示すように、第１光透過性カバー１２のカバー本体３１の端部の下面と、第１枠１１ａ１（または第２枠１１ａ２）との間にガスケットシート２５ａを設けてもよい。
【００２２】
このように構成されているため、第１光透過性カバー１２を長尺基材１１の第１収容部２１の上方に取り付けることにより、長尺基材１１と第１光透過性カバー１２との間に第１空間Ｓ１（図２参照）が形成され、かつ、太陽電池モジュール１４を装着した第１基部２２を第１空間Ｓ１内に閉じることができる。
また第１光透過性カバー１２と長尺基材１１とを連結させた後は、長尺基材１１の枠の外周面と、第１光透過性カバー１２のカバー本体３１の外周面とで一つの大きな円弧が形成される。そのため、美観に優れている。
【００２３】
次に、第２収容部２６と第２光透過性カバー１３の説明をする。
これらの説明において、図５ａ、図５ｂに示すように、第２収容部２６の開口している方向（手摺本体の断面の半径方向外側）を上方、その反対方向（手摺本体の断面の半径方向内側）を下方とする。また、第２収容部２６及び第２カバー本体４１を半分に切断する中心面Ｆ２を中心に、中心面Ｆ２に近づく方向を内側、中心面Ｆ２から遠ざかる方向を外側とする。
第２収容部２６は、長手方向に延びる第２基部２７と、その第２基部の両側に第２基部に沿って設けられる一対の第２係止部２８とを有する。一対の第２係止部２８は、第２基部２７を中心に左右対称に設けられている。第２収容部２６は、照明１５を収容する。
【００２４】
第２基部２７は、照明１５を装着する部位である。また第２基部２７には、照明１５と制御部１７とを電気的に連通するリード線を通す連通孔２７ａが形成されている。
第２係止部２８は、第２基部２７の両側端に上方に延びる一対の側壁２８ａと、その側壁２８ａの下部近辺に外側に向かって延びる係止溝２８ｂとを有する。
【００２５】
第２光透過性カバー１３は、図５ｂに示すように、長尺状の第２カバー本体４１と、そのカバー本体の内面から突出する一対の第２脚部４２とを有する。第２光透過性カバー１３も、第１光透過性カバー１２と同様に、透光性の合成樹脂の押出成形体からなる。特に、ポリカーボネート、アクリル樹脂の押出成形体からなるものが好ましい。
【００２６】
第２カバー本体４１の断面は、長尺基材１１の断面で切欠いた第２円弧Ａ２と実質的に同じ大きさの円弧形状の板材である。凸側が外面であり、凹側が内面となる。第２カバー本体４１の厚みは、０．５〜５ｍｍ、好ましくは０．８〜３ｍｍである。
第２脚部４２は、第２カバー本体４１の側縁から内側に入った部位から下側に向かって延びている。第２脚部４２の下端には、長尺基材の第２係止部の係止溝２８ｂと係合する第２係止片４２ａが形成されている。詳しくは、第２係止片４２ａは、下端から拡がるように傾斜するテーパ部４２ａ１と、その上端から水平方向側縁側に延びる係止段部４２ａ２とを備えている。また第２脚部４２は、第２脚部４２の基端近辺を中心として第２係止片４２ａが内外方向、特に内側方向に移動可能に弾性変形する。
【００２７】
第２光透過性カバー１３と長尺基材１１の第２収容部２６との固定構造は、第２光透過性カバー１３の第２脚部４２と、第２収容部２６の第２係止部２８の係止溝２８ｂとによって形成される。つまり、第２光透過性カバー１３を、長尺基材１１の第２収容部２６の上方から下方に移動させるだけで、第２脚部４２は、弾性変形させながら第２収容部２６内に挿入し、第２脚部４２の第２係止片４２ａと係止溝２８ｂとが係合することにより、第２光透過性カバー１３は第２収容部２６と連結する。
第２光透過性カバー１３を長尺基材１１との固定構造も、上述するように、第２光透過性カバー１３を長尺基材１１の上方から下方に移動させ、第２光透過性カバーおよび長尺基材の係止部同士がクリップ嵌合することにより形成するものが好ましい。しかし、第１光透過性カバー１２と長尺基材１１の第１係止部２３との固定構造と同様に、その固定構造は特に限定されない。接着剤等で固定してもよい。
【００２８】
このように構成されているため、第２光透過性カバー１３を長尺基材１１の第２収容部２６の上方に取り付けることにより、長尺基材１１と第２光透過性カバー１３との間に第２空間Ｓ２（図２参照）を形成し、かつ、第２基部２７を第２空間Ｓ２内に閉じることができる。
また第２光透過性カバー１３と長尺基材１１とが連結されると、長尺基材１１の第１枠及び第２枠の外周面と、第２光透過性カバー１３の第２カバー本体４１の外周面とで、一つの円弧を形成し、美観に優れている。
この実施形態では、第２収容部２６と第２光透過性カバー１３との間には、シール構造を設けていない。これは第２収容部２６が下方に向かって開口しているため、水分が入りにくいためである。しかし、照明を水分から保護するべく、第２収容部２６と第２光透過性カバー１３との間にシール構造を設けてもよい。
【００２９】
太陽電池モジュール１４は、基板と、その基板に配置されるソーラーセルとを有する。太陽電池モジュール１４の面積は、使用する照明に応じて選択すればよい。例えば、天候によって電力生成が左右されること、蓄電池を充填することにより電力のロスがあることを考慮して、照明によって一日で消費される電力とよりも大きな電力を発電できるようにする。
【００３０】
照明１５としては、ＬＥＤ、蛍光灯、電球等の電力によって発光するものが挙げられる。特に、太陽電池モジュールで発電した電力を使用することを考えると、電力消費量の小さいＬＥＤが好ましい。
【００３１】
蓄電池１６は、太陽電池モジュール１４で発電した電力を蓄電する。その容量は、太陽電池モジュール１４で一日に生産できる電力を蓄電できるようにする。蓄電池１６は、長尺基材１１の内部空間に設けている。しかし、その配置場所は特に限定されず、第１収容部２１または第２収容部２６に配置してもよい。
【００３２】
制御部１７は、日中に太陽電池モジュールの発電電力を蓄電池に蓄電させ、夜間に蓄電池の電力を用いて照明を発光させる。例えば、周囲の照度によって日中と夜間の切り替えと行う。また、タイマーによって自動的に切り替えを行うようにしてもよい。さらに、夜間において、人や車等が近づいてくることをセンサ等で察知させて、察知した場合に所定時間照明を点灯するようにしてもよい。制御部１７は、長尺基材１１の内部空間に設けている。
【００３３】
蓋材１８は、図６に示すように、有底筒状を呈し、底部１８ａの表面に円板状のシール材１８ｂ設けられている。この蓋材１８は、長尺基材１１の端部に被せることにより、長尺基材１１内を密封する。詳しくは、蓋材１８を長尺基材１１の端部に被せることにより、第１枠、第２枠、第１基部、第２基部の端部がシール材１８ｂと当接し、それぞれの空間が密封される。蓋材１８の長尺基材１１への固定方法は、蓋材１８を長尺基材１１に取り付けた後、蓋材１８の筒部を長尺基材１１に嵌合させて固定する。しかし、その固定方法は、特に限定されない。例えば、連結後、蓋材１８の筒部の一部をカシメてもよく、接着剤等を使用してもよい。なお、前述したように、支柱１０１のブラケットによって手摺本体１０の空間Ｓ１、Ｓ２の両端を閉じてもよい。
【００３４】
実施形態の筒状体（手摺本体１０）は、屋外の防護柵や柵型手摺等に用いることにより、防護柵や柵型手摺等に照明機能を与えることができる。さらに、太陽電池モジュール、蓄電池、制御部を内部に備えているため、外部電力を必要とせず、取り付けも簡単である。さらに、長尺基材１１と、第１光透過性カバー１２と、第２光透過性カバーとを連結することにより、円筒状となるため、美観にも優れている。
なお、筒状体の断面形状は他の形状を呈してもよい。例えば、図７に示す第２の実施形態の手摺本体１０ａのように断面が三角形や多角形であってもよい。この場合、蓋材１８や支柱のブラケットもその手摺本体１０ａに応じた形状を呈する。他の構成は、図１の手摺本体１０と実質的に同じである。
【符号の説明】
【００３５】
Ａ１  第１円弧
Ａ２  第２円弧
Ｆ１  鉛直面
Ｆ２  中心面
Ｓ１  第１空間
Ｓ２  第２空間
１０  手摺本体
１０ａ  手摺本体
１１  長尺基材
１１ａ１  第１枠
１１ａ２  第２枠
１１ｂ  第２枠
１２  第１光透過性カバー
１３  第２光透過性カバー
１４  太陽電池モジュール
１５  照明
１６  蓄電池
１７  制御部
１８  蓋材
１８ａ  底部
１８ｂ  シール材
２１  第１収容部
２２  第１基部
２２ａ  連通孔
２２ｂ  凹部
２３  第１係止部
２３ａ  嵌入溝
２３ａ１  内壁
２３ａ２  外壁
２３ｂ  係止溝
２３ｃ  平面部
２４  段部
２５  シール材
２５ａ  シール材
２６  第２収容部
２７  第２基部
２７ａ  連通孔
２８  第２係止部
２８ａ  側壁
２８ｂ  係止溝
３１  第１カバー本体
３２  第１脚部
３２ａ  第１係止片
３２ａ１  テーパ部
３２ａ２  係止段部
４１  第２カバー本体
４２  第２脚部
４２ａ  第２係止片
４２ａ１  テーパ部
４２ａ２  係止段部
１００  柵型手摺
１０１  支柱
１０２  パイプ
【図１】
2019117714.tif 000003
【図２】
2019117714.tif 000004
【図３】
2019117714.tif 000005
【図４】
2019117714.tif 000006
【図５】
2019117714.tif 000007
【図６】
2019117714.tif 000008
【図７】
2019117714.tif 000009